(57)【特許請求の範囲】
【請求項１】
モバイル端末が、表示装置と接続されているサービス装置との通信リンクを確立するステップと、
前記モバイル端末が、自身が前記表示装置の近傍にあるかを検出し、近傍にある場合には、情報を含む第１のコマンドを前記サービス装置に送信するステップと、
前記サービス装置が、前記第１のコマンドを受信した後に、前記情報を含む第２のコマンドを前記表示装置に送信するステップと、
前記表示装置が、前記第２のコマンドを受信した後に、前記情報を表示するステップと、
を有し、
前記モバイル端末が、自身が前記表示装置の近傍にあるかを検出するステップは、
前記モバイル端末が、フラッシュをつけて画像データを取得し、前記画像データにおいて画素の最適化を行って画像を取得するステップと、
前記モバイル端末が、前記画像の明るさが所定の閾値を超えるかを判断し、超える場合には、前記モバイル端末が前記表示装置の近傍にあると判断するステップと、
を有する情報交換の方法。
【請求項２】
請求項１に記載の方法であって、前記モバイル端末が、前記表示装置と接続されている前記サービス装置との前記通信リンクを確立するステップは、
前記モバイル端末が、前記サービス装置に接続されている前記表示装置のヒューマン・コンピュータ・インタフェースに表示された２次元コードを読み取るステップと、
前記モバイル端末が、前記２次元コードをデコードして転送プロトコル情報を取得するステップと、
前記モバイル端末が、前記転送プロトコル情報に基づいて、通信リンク要求を前記サービス装置に送信するステップと、
前記サービス装置が、前記通信リンク要求への応答を前記サービス装置に返し、前記モバイル端末と前記サービス装置との前記通信リンクを確立するステップと、を有し、
前記転送プロトコル情報は、ハイパーテキスト転送プロトコル（ＨＴＴＰ）情報である
方法。
【請求項３】
請求項１又は２に記載の方法であって、前記モバイル端末が、自身が前記表示装置の近傍にあるかを検出するステップの後であって、前記情報を含む前記第１のコマンドを前記サービス装置に送信するステップの前に、
前記モバイル端末が、前記サービス装置に、自身が前記表示装置の近傍にあることを検出している旨を通知するステップと、
前記サービス装置が、前記表示装置に前記検出が完了している旨を通知し、前記表示装置から返される前記表示装置が設定状態に入った旨の通知を受信するステップと、
前記サービス装置が、前記モバイル端末に設定状態に入るように通知するステップと、
を有する方法。
【請求項４】
請求項３に記載の方法であって、前記モバイル端末と、前記表示装置に接続されている前記サービス装置とが、通信リンクを確立するステップの後に、
前記サービス装置が、前記表示装置にガイド情報を表示させる旨を通知し、ユーザに対して前記モバイル端末を移動させて前記表示装置の情報表示領域に近づけるようにガイドするステップ、
を有する方法。
【請求項５】
モバイル端末が、表示装置と接続されているサービス装置との通信リンクを確立するステップと、
前記モバイル端末が、自身が前記表示装置の近傍にあるかを検出し、近傍にある場合には、情報を含む第１のコマンドを前記サービス装置に送信するステップと、
前記サービス装置が、前記第１のコマンドを受信した後に、前記情報を含む第２のコマンドを前記表示装置に送信するステップと、
前記表示装置が、前記第２のコマンドを受信した後に、前記情報を表示するステップと、
を有し、
前記モバイル端末が、自身が前記表示装置の近傍にあるかを検出するステップは、
前記モバイル端末が、第１の画像データを取得し、前記第１の画像データにおいて画素の最適化を行って第１の画像を取得するステップと、
前記モバイル端末が、前記第１の画像と所定のターゲット画像とを比較してそれらが同じであるかを判断し、同じである場合には、フラッシュをつけて第２の画像データを取得し、前記第２の画像データにおいて画素の最適化を行って第２の画像を取得するステップと、
前記モバイル端末が、前記第１の画像の明るさと前記第２の画像の明るさとの差が所定の閾値を越えるかを判断し、超える場合には、前記モバイル端末が前記表示装置の近傍にあると判断するステップと、
を有する情報交換の方法。
【請求項６】
請求項５に記載の方法であって、前記モバイル端末が、第１の画像データを取得し、前記第１の画像データにおいて画素の最適化を行って第１の画像を取得するステップの前に、
前記モバイル端末が、加速度計を用いて、前記モバイル端末が加減速を伴う動作をしているかを検出し、加減速を伴う動作をしている場合には、前記モバイル端末が、前記第１の画像データを取得し、前記第１の画像データにおいて画素を最適化して第１の画像を取得する処理を実行するステップ、
を有する方法。
【請求項７】
請求項５に記載の方法であって、第１の画像データを取得し、前記第１の画像データにおいて画素の最適化を行って第１の画像を取得するステップの前に、
前記モバイル端末が、オートフォーカスモードに設定されたカメラレンズが連続的な焦点あわせを行っているかを検出し、連続的な焦点あわせを行っている場合には、前記モバイル端末が、前記第１の画像データを取得し、前記第１の画像データにおいて画素の最適化を行って第１の画像を取得する処理を実行するステップ、
を有する方法。
【請求項８】
請求項５から７のいずれか１項に記載の方法であって、前記モバイル端末が、自身が前記表示装置の近傍にあるかを検出するステップの後であって、前記情報を含む前記第１のコマンドを前記サービス装置に送信するステップの前に、
前記モバイル端末が、前記サービス装置に、自身が前記表示装置の近傍にあることを検出している旨を通知するステップと、
前記サービス装置が、前記表示装置に前記検出が完了している旨を通知し、前記表示装置から返される前記表示装置が設定状態に入った旨の通知を受信するステップと、
前記サービス装置が、前記モバイル端末に設定状態に入るように通知するステップと、
を有する方法。
【請求項９】
請求項８に記載の方法であって、前記モバイル端末と、前記表示装置に接続されている前記サービス装置とが、通信リンクを確立するステップの後に、
前記サービス装置が、前記表示装置にガイド情報を表示させる旨を通知し、ユーザに対して前記モバイル端末を移動させて前記表示装置の情報表示領域に近づけるようにガイドするステップ、
を有する方法。
【請求項１０】
モバイル端末によって実行される情報交換の方法であって、
表示装置と接続されているサービス装置との通信リンクを確立するステップと、
自身が前記表示装置の近傍にあるかを検出し、近傍にある場合には、情報を含む第１のコマンドを前記サービス装置に送信することにより、前記サービス装置に対して前記情報を含む第２のコマンドを前記表示装置に送信させて前記表示装置による表示が行われるようにトリガをかけるステップと、
を有し、
自身が前記表示装置の近傍にあるかを検出するステップは、
フラッシュをつけて画像データを取得し、前記画像データにおいて画素の最適化を行って画像を取得するステップと、
前記画像の明るさが所定の閾値を超えるかを判断し、超える場合には、前記モバイル端末が前記表示装置の近傍にあると判断するステップと、
を有する方法。
【請求項１１】
モバイル端末によって実行される情報交換の方法であって、
表示装置と接続されているサービス装置との通信リンクを確立するステップと、
自身が前記表示装置の近傍にあるかを検出し、近傍にある場合には、情報を含む第１のコマンドを前記サービス装置に送信することにより、前記サービス装置に対して前記情報を含む第２のコマンドを前記表示装置に送信させて前記表示装置による表示が行われるようにトリガをかけるステップと、
を有し、
自身が前記表示装置の近傍にあるかを検出するステップは、
第１の画像データを取得し、前記第１の画像データにおいて画素の最適化を行って第１の画像を取得するステップと、
前記第１の画像データと所定のターゲット画像とを比較してそれらが同じであるかを判断し、同じである場合には、フラッシュをつけて第２の画像データを取得し、前記第２の画像データにおいて画素の最適化を行って第２の画像を取得するステップと、
前記第１の画像の明るさと前記第２の画像の明るさとの差が所定の閾値よりも大きいかを判断し、大きい場合には、前記モバイル端末が前記表示装置の近傍にあると判断するステップと、
を有する方法。
【請求項１２】
請求項１１に記載の方法であって、第１の画像データを取得し、前記第１の画像データにおいて画素の最適化を行って第１の画像を取得するステップは、
加速度計を用いて、前記モバイル端末が加減速を伴う動作をしているかを検出し、加減速を伴う動作をしている場合には、第１の画像データを取得し、前記第１の画像において画素の最適化を行って第１の画像を取得する処理を実行するステップ、又は、
オートフォーカスモードに設定されたカメラレンズが連続的な焦点あわせを行っているかを検出し、連続的な焦点あわせを行っている場合には、第１の画像データを取得し、前記第１の画像データにおいて画素の最適化を行って第１の画像を取得する処理を実行するステップを、
有する方法。
【請求項１３】
モバイル端末であって、
前記モバイル端末と表示装置が接続されているサービス装置との通信リンクを確立する第１の確立モジュールと、
前記モバイル端末が前記表示装置の近傍にあるかを検出する検出モジュールと、
前記検出モジュールが前記モバイル端末が前記表示装置の近傍にあることを検出した場合には、情報を含む第１のコマンドを前記サービス装置に送信することにより、前記サービス装置に対して前記情報を含む第２のコマンドを前記表示装置に送信させて前記表示装置による情報の表示が行われるようにトリガをかける第１の送受信モジュールと、
を有し、
前記検出モジュールは、
フラッシュをつけて画像データを取得し、前記画像データにおいて画素の最適化を行って画像を取得する第１のカメラサブモジュールと、
前記画像の明るさが所定の閾値を超えるかを判断し、越える場合には、前記モバイル端末が前記表示装置の近傍にあると判断する第１の判断サブモジュールと、
を有するモバイル端末。
【請求項１４】
請求項１３に記載のモバイル端末であって、
前記検出モジュールが前記モバイル端末が前記表示装置の近傍にあることを検出した後であって、情報を含む前記第１のコマンドを前記サービス装置に送信する前に、第１の送受信モジュールが、前記サービス装置に前記モバイル端末が前記表示装置の近傍にあることが検出されている旨を通知し、前記サービス装置が、前記表示装置から返される前記表示装置が設定状態に入った旨の通知を受信すると、前記モバイル端末に対して、前記サービス装置から送信される通知を受信すると設定状態に入るようにトリガをかける、
モバイル端末。
【請求項１５】
モバイル端末であって、
前記モバイル端末と表示装置が接続されているサービス装置との通信リンクを確立する第１の確立モジュールと、
前記モバイル端末が前記表示装置の近傍にあるかを検出する検出モジュールと、
前記検出モジュールが前記モバイル端末が前記表示装置の近傍にあることを検出した場合には、情報を含む第１のコマンドを前記サービス装置に送信することにより、前記サービス装置に対して前記情報を含む第２のコマンドを前記表示装置に送信させて前記表示装置による情報の表示が行われるようにトリガをかける第１の送受信モジュールと、
を有し、
前記検出モジュールは、
第１の画像データを取得し、前記第１の画像データにおいて画素の最適化を行って第１の画像を取得する第２のカメラサブモジュールと、
前記第１の画像と所定のターゲット画像とを比較してそれらが同じであるかを判断する比較サブモジュールと、を有し、
前記第２のカメラサブモジュールは、前記第１の画像と前記所定のターゲット画像とが同じである場合には、フラッシュをつけて第２の画像データを取得し、前記第２の画像データにおいて画素の最適化を行って第２の画像を取得し、
前記比較サブモジュールは、前記第１の画像の明るさと前記第２の画像との明るさとの差が所定の閾値よりも大きいかを判断し、大きい場合には、前記モバイル端末が前記表示装置の近傍にあると判断するモバイル端末。
【請求項１６】
請求項１５に記載のモバイル端末であって、前記検出モジュールは、
前記モバイル端末が加減速を伴う動作をしているかを検出し、加減速を伴う動作をしている場合には、第２のカメラモジュールに対して、第１の画像データを取得させ、前記第１の画像データにおいて画素の最適化を行わせて第１の画像を取得させるようにトリガをかける加速度計サブモジュール、又は、
オートフォーカスモードに設定されたカメラレンズが連続的な焦点あわせを行っているかを検出し、連続的な焦点あわせを行っている場合には、第２のカメラサブモジュールに対して、第１の画像データを取得させ、前記第１の画像データにおいて画素の最適化を行わせて第１の画像を取得させるようにトリガをかける焦点あわせ検出サブユニット、
を有するモバイル端末。
【請求項１７】
請求項１５又は１６に記載のモバイル端末であって、
前記検出モジュールが前記モバイル端末が前記表示装置の近傍にあることを検出した後であって、情報を含む前記第１のコマンドを前記サービス装置に送信する前に、第１の送受信モジュールが、前記サービス装置に前記モバイル端末が前記表示装置の近傍にあることが検出されている旨を通知し、前記サービス装置が、前記表示装置から返される前記表示装置が設定状態に入った旨の通知を受信すると、前記モバイル端末に対して、前記サービス装置から送信される通知を受信すると設定状態に入るようにトリガをかける、
モバイル端末。
【請求項１８】
モバイル端末の非一時的なコンピュータが可読な媒体であって、前記媒体に格納されるプログラムは、プロセッサにより実行される時には、
表示装置と接続されているサービス装置との通信リンクを確立するステップと、
自身が前記表示装置の近傍にあるかを検出し、近傍にある場合には、情報を含む第１のコマンドを前記サービス装置に送信し、前記サービス装置に対して前記情報を含む第２のコマンドを前記表示装置に送信させて前記表示装置による表示が行われるようにトリガをかけるステップと、
の処理を実行する媒体であって、
前記モバイル端末が前記表示装置の近傍にあるかを検出するステップは、
フラッシュをつけて画像データを取り込み、前記画像データにおいて画素の最適化を行って画像を取得するステップと、
前記画像の明るさが所定の閾値を超えるかを判断し、超える場合には、前記モバイル端末が前記表示装置の近傍にあると判断するステップと、
を有する媒体。
【請求項１９】
モバイル端末の非一時的なコンピュータが可読な媒体であって、前記媒体に格納されるプログラムは、プロセッサにより実行される時には、
表示装置と接続されているサービス装置との通信リンクを確立するステップと、
自身が前記表示装置の近傍にあるかを検出し、近傍にある場合には、情報を含む第１のコマンドを前記サービス装置に送信し、前記サービス装置に対して前記情報を含む第２のコマンドを前記表示装置に送信させて前記表示装置による表示が行われるようにトリガをかけるステップと、
の処理を実行する、媒体であって、
前記モバイル端末が前記表示装置の近傍にあるかを検出するステップは、
第１の画像データを取り込み、前記第１の画像データにおいて画素の最適化を行って第１の画像を取得するステップと、
前記第１の画像と所定のターゲット画像とを比較してそれらが同じであるかを判断し、同じである場合には、フラッシュをつけて第２の画像データを取得し、前記第２の画像データにおいて画素の最適化を行って第２の画像を取得するステップと、
前記第１の画像の明るさと前記第２の画像明るさとの差が所定の閾値を超えるかを判定し、超える場合には、前記モバイル端末が前記表示装置の近傍にあると判断するステップと、
を有する媒体。
【請求項２０】
モバイル端末であって、
前記モバイル端末を通信リンクを介してディスプレイを有するサーバに接続するネットワークインタフェースと、
画像データを取得するカメラと、
前記カメラにより取得された画像データを処理することで前記モバイル端末が前記サーバの前記ティスプレイの近傍にあるかを判断し、前記モバイル端末が前記ディスプレイの近傍にあると判断する場合には、前記通信リンクを介して前記サーバに第１のコマンドを送信するプロセッサと、
を有するモバイル端末。
【請求項２１】
請求項２０に記載のモバイル端末であって、
画像データが取得される前につけられるフラッシュと、
プログラムを格納するメモリユニットと、を有し、前記プログラムは、プロセッサにより実行される時には、
前記画像データにおいて画素の最適化を行って画像を取得するステップと、
前記画像の明るさが所定の閾値を超えるかを判断するステップと、
からなる処理を実行し、
前記明るさが所定の閾値を超える場合には、前記モバイル端末が前記ディスプレイの近傍にあると判断する、
モバイル端末。
【請求項２２】
請求項２０に記載のモバイル端末であって、
フラッシュと、
プログラムを格納するメモリユニットと、を有し、前記プログラムは、プロセッサにより実行される時には、
前記画像データにおいて画素の最適化を行って第１の画像を取得するステップと、
前記第１の画像と予め格納された画像とを比較してそれらが同じであるかを判断するステップと、
前記第１の画像と前記予め格納された画像とが同じである場合には、前記フラッシュをつけ、前記カメラにより取得された第２の画像において画素の最適化を行うステップと、
前記第１の画像の明るさと前記第２の画像の明るさとの差が所定の閾値を超えるかを判断するステップと、
からなる処理を実行し、
前記明るさが前記所定の閾値を超える場合には、前記モバイル端末が前記ディスプレイの近傍にあると判断する、
モバイル端末。
【発明の詳細な説明】
【技術分野】
【０００１】
関連出願への相互参照。本出願は、２０１２年８月２４日に出願された中国特許出願５２０１２１０３０５７１７．８に基づく優先権の利益を主張し、全ての目的において、その全体は参照により本明細書に取り込まれる。本願は、情報交換の分野全般に関連し、特に、情報交換の方法、装置、および、システムに関する。
【背景技術】
【０００２】
スマートフォン、携帯情報端末（ＰＤＡ）、及び、その他のモバイル端末の人気が続いており、それらのアプリケーションの幅もますます広がっている。例えば、ユーザは、モバイル端末を用いてユーザ情報（例えば、画像、ユーザ名、及び、ユーザＩＤ）をクラウドに転送し、そして、サービス装置を用いてクラウドからユーザ情報をダウンロードして、サービス装置において特定のアプリケーションプログラム（例えば、テンセントによるマイクロブログやＱＱ）へのログインを行う。
【０００３】
しかしながら、モバイル端末とサービス装置との間での上述の相互動作は退屈であり、そして、ユーザがそのプロセスにおいて手動で何度もログインする必要があるため、ユーザエクスペリエンスに影響を与えてしまう。
【発明の概要】
【０００４】
本開示により解決される技術的課題は、モバイル端末とサービス装置との間の相互動作のプロセスを簡略化し、ユーザによる手動ログインを低減させ、ユーザエクスペリエンスを向上させることができる情報交換の方法、装置、及び、システムを提供することである。
【０００５】
本開示の第１の態様においては、情報交換の方法が提供される。その方法は、
モバイル端末が、表示装置と接続されているサービス装置と通信リンクを確立するステップと、
モバイル端末が、自身が表示装置の近傍にあるかを検出し、近傍にある場合には、情報を含む第１のコマンドをサービス装置に送信するステップと、
サービス装置が、第１のコマンドを受信した後に、情報を含む第２のコマンドを表示装置に送信するステップと、
表示装置が、第２のコマンドを受信した後に、情報を表示するステップと、を有する。
【０００６】
第２の態様においては、他の情報交換の方法が提供される。その方法は、
モバイル端末が、表示装置と接続されているサービス装置と通信リンクを確立するステップと、
モバイル端末が、自身が前記表示装置の近傍にあるかを検出し、近傍にある場合には、情報を含む第１のコマンドをサービス装置に送信することにより、サービス装置に対して情報を含む第２のコマンドを表示装置に送信させて表示装置による表示が行われるようにトリガをかけるステップと、を有する。
【０００７】
第３の態様においては、他の情報交換の方法が提供される。その方法は、
サービス装置が、モバイル端末との通信リンクを確立するステップと、
サービス装置が、モバイル端末から送信される情報を含む第１のコマンドであって、モバイル端末が自身がサービス装置の近傍にあることを検出した後に送信される第１のコマンドを受信するステップと、
サービス装置が、情報を含む第２のコマンドを表示装置に送信し、表示装置に情報を表示させるステップと、を有する。
【０００８】
第４の態様においては、プログラムを格納する、非一時的なコンピュータ可読ストレージ媒体が提供される。そのプログラムは、実行される時には、本開示の第２の態様における情報交換の方法の全ての処理を実行できる。
【０００９】
第５の態様においては、プログラムを格納する、非一時的なコンピュータ可読ストレージ媒体が提供される。そのプログラムは、実行される時には、本開示の第３の態様における情報交換の方法の全ての処理を実行できる。
【００１０】
第６の態様においては、モバイル端末が提供される。そのモバイル端末は、
モバイル端末と表示装置が接続されているサービス装置との通信リンクを確立する第１の確立モジュールと、
モバイル端末が表示装置の近傍にあるかを検出する検出モジュールと、
検出モジュールがモバイル端末が表示装置の近傍にあることを検出した場合には、情報を含む第１のコマンドをサービス装置に送信することにより、サービス装置に対して情報を含む第２のコマンドを記表示装置に送信させて表示装置による情報の表示が行われるようにトリガをかける第１の送受信モジュールと、を有する。
【００１１】
第７の態様においては、サービス装置が提供される。そのサービス装置は、表示デバイスと接続されることができる。そのサービス装置は、
モバイル端末との通信リンクを確立する第２の確立モジュールと、
モバイル端末から送信される情報を含む第１のコマンドであって、モバイル端末が自身がサービス装置の近傍にあることを検出した後に送信される第１のコマンドを受信し、情報を含む第２のコマンドを表示装置に送信することにより表示装置に情報を表示させる第２の送受信モジュールと、を有する。
【００１２】
第８の態様においては、情報交換のシステムが提供される。このシステムは、モバイル端末と、表示装置と接続するサービス装置とを有し、
モバイル端末は、
モバイル端末と表示装置が接続されているサービス装置との通信リンクを確立する第１の確立モジュールと、
モバイル端末が表示装置の近傍にあるかを検出する検出モジュールと、
検出モジュールがモバイル端末が表示装置の近傍にあることを検出した場合には、情報を含む第１のコマンドをサービス装置に送信する第１の送受信モジュールと、を有し、
サービス装置は、
モバイル端末との通信リンクを確立する第２の確立モジュールと、
モバイル端末から送信される情報を含む第１のコマンドを受信し、情報を含む第２のコマンドを表示装置に送信する第２の送受信モジュールと、を有し、
表示装置は、第２のコマンドを受信した後に、情報を表示する。
【００１３】
本開示の実施形態においては、モバイル端末と表示デバイスと接続するサービス装置とが通信リンクを確立した後に、モバイル端末は、自身が表示装置の近傍にあるかを検出できる。そのため、モバイル端末は、情報を含む第１のコマンドをサービス装置に直接送信できる。モバイル端末により送信された第１のコマンドを受信した後に、サービス装置は、情報を含む第２のコマンドを表示装置に送信できる。表示装置は、第２のコマンド受信した後に、情報を表示できる。このようにして、実施形態により、モバイル端末とサービス装置との間の相互動作プロセスが簡略化され、ユーザによる手動ログインを減少させ、ユーザエクスペリエンスを向上させることができる。さらに、モバイル端末により送信された情報を表示装置にて表示させることにより、モバイル端末とサービス装置との間の相互動作は、ある程度、可視化することができる。このようにして、モバイル端末とサービス装置との間の相互動作をより鮮明にすることができる。
【図面の簡単な説明】
【００１４】
【図１】図１は、本開示の第１の実施形態における、情報交換の方法の例示的な処理を示すフローチャートである。
【図２】図２は、本開示の第２の実施形態における、情報交換の方法の例示的な処理を示すフローチャートである。
【図３】図３は、本開示の第２の実施形態における、ガイド情報を含む例示的なヒューマン・コンピュータ・インタフェースを示す図である。
【図４】図４は、本開示の第３の実施形態における、情報交換の方法の例示的な処理を示すフローチャートである。
【図５】図５は、本開示の第３の実施形態における、表示装置の近傍にあることを検出する方法の例示的な処理を示すフローチャートである。
【図６】図６は、本開示の第４の実施形態における、情報交換の方法の例示的な処理を示すフローチャートである。
【図７】図７は、本開示の第４の実施形態における、表示装置の近傍にあるモバイル端末の正面図である。
【図８ａ】図８ａは、本開示の第４の実施形態における、表示装置の近傍にあることを検出するモバイル端末の側面図である。
【図８ｂ】図８ｂは、本開示の第４の実施形態における、情報交換を示している。
【図９】図９は、本開示の第５の実施形態における、モバイル端末の例示的な構成を示すブロック図である。
【図１０】図１０は、本開示の第５の実施形態における、他のモバイル端末の例示的な構成を示すブロック図である。
【図１１】図１１は、本開示の第５の実施形態における、他のモバイル端末の例示的な構成を示すブロック図である。
【図１２】図１２は、本開示の第６の実施形態における、サービス装置の例示的な構成を示すブロック図である。
【図１３】図１３は、本開示の第７の実施形態における、情報交換のシステムの例示的な構成を示すブロック図である。
【図１４】図１４は、本開示の実施形態の端末、およびまたは、サーバのいずれかとすることができる、例示的なシステムの共通構成を示すブロック図である。
【発明を実施するための形態】
【００１５】
本開示の実施形態の技術的な解決手段の詳細な説明は、添付の図面を参照して以下のように提供される。以下に記載された実施形態は、全てのありうる実施形態の完全な開示ではなく、本開示の実施形態の代表例であることを理解されるべきである。本開示は、当業者が付加的な発明行為がなくても開示された実施形態から導出できる任意の他の実施形態も含んでもよい。本開示の実施形態の範囲から逸脱することなく、他の実施形態、及び、構造的な変更を行えることが理解できる。
【００１６】
本発明は、一般的な２つの装置間での情報交換の方法に関する。以下に参照されるように、装置は、データの送受信に用いられるネットワークに接続可能ないかなる電気的な装置であってもよい。このような装置は、ＰＣ、マック、デスクトップコンピュータ、ノートパソコン、タブレットＰＣ、ｉＰｈｏｎｅやＡｎｄｒｏｉｄフォンやウィンドウズ（登録商標）フォンやブラックベリーなどのスマートフォン、電子書籍リーダー、車載通信装置、テレビ、及び、十分なネットワーク接続可能な構成を備える他の民生用電子機器を含んでいてもよいが、これらに限定されるものではない。さらに、装置は、端末として参照されることもある（すなわち、「装置」と「端末」とは置換可能な用語である）。例えば、モバイル端末は、携帯電話やタブレットＰＣなどのようないかなるモバイル装置であってもよい。いくつかの実施形態において、モバイル端末は、カメラ、フラッシュ、及び、画像データの処理に必要なプログラムを備えていてもよい。カメラは、必要に応じて、調整可能なレンズを備えてもよい。モバイル端末は、必要に応じて、加速度計を備えてもよい。
【００１７】
以下に参照されるように、サービス装置（又は、サーバ）は、１つ又はそれ以上の他の装置と通信可能な電気的な装置であってもよい。サービス装置（又は、サーバ）は、デスクトップコンピュータ、ノートパソコン、又は、他のモバイル端末であってもよい。サービス装置（又は、サーバ）は、１つ又はそれ以上の機能を実現してもよいが、その実現は必須ではない。なお、その機能は、ネットワークサービスの提供、ネットワークベースのアプリケーションのホスティング、他の装置との間での情報のルーティング、及び、他の装置に対するネットワークへのアクセスの提供を含んでもよいが、これらに限定されない。要するに、サービス装置（又は、サーバ）は、単に、ネットワークにて自身以外の装置と通信可能な他のデバイスであればよい。以下の実施形態で説明するように、サービス端末は、表示装置（又は、ディスプレイ）に接続可能である。表示装置は、サービス装置の一部であってもよいし（例えば、ノートパソコンのディスプレイ）、有線または無線接続を利用してサービス装置に接続されてもよい。例えば、表示装置は、デスクトップＰＣに接続されているモニタであってもよい。
【００１８】
モバイル端末とサービス装置とは、好ましくは、無線ネットワークを介して接続可能であってもよい。通信リンクは、任意の適切な手段を用いて、モバイル端末とサービス装置との間で確立可能である。一実施形態においては、リンクは、例えば、サービス装置に接続されているディスプレイに表示された接続情報を含むコード（ＱＲコード（登録商標））を読み取り、サービス装置との通信リンクの確立にその接続情報を用いることにより確立されてもよい。接続情報は、例えば、ＩＰアドレス、無線ＬＡＮのＩＤ、又は、他の種類の識別情報、およびまたは、通信リンクの確立に必要であろうネットワークプロトコルでもよい。
【００１９】
動作時には、モバイル端末に表示される情報は、本開示の実施形態を利用して、サーバに接続されているディスプレイに視覚的な方法において送信されてもよい。例えば、ユーザが、自身のスマートフォンにアプリケーション（例えば、テンセントによるマイクロログやＱＱ）のログイン情報を持っている場合がある。開示された方法を用いることにより、ユーザは、同じ情報を自動的に取得して自身のノートパソコンに表示させたい時には、ユーザは、単に、スマートフォンを動かしてノートパソコンのディスプレイと近接させるだけでよい。スマートフォンは、自身とディスプレイとの間の距離を検出し、自身が十分にディスプレイに近接しているかを判断できる。この検出は、例えば、スマートフォンがノートパソコンのディスプレイに近づくように移動しており、スマートフォンのカメラにより撮影された画像の明るさに基づいて行うことができる。ノートパソコンのディスプレイが反射する特性を有するため、スマートフォンがディスプレイに近づくように移動すると、スマートフォンのカメラで撮影された画像は、特定の閾値を超える明るさとなるためである。
【００２０】
以下に詳細に説明するように、スマートフォンがディスプレイの近傍にあるかの判断に用いられる写真を撮るタイミングを示すために、様々な機構を用いてもよい。例えば、スマートフォンが加速度計を備える場合には、加速度計により取得される加減速を伴う動作が、携帯電話がディスプレイに近づくような移動の指標として用いられ、カメラが写真を撮るトリガとなってもよい。また、スマートフォンのカメラが調整可能なレンズを備えており、レンズが対象物の焦点を連続的に調整する場合には、スマートフォンがディスプレイの近くに移動していることや、スマートフォンがディスプレイに十分に近づいているかの判断に用いる写真が撮影されることが示される。
【００２１】
スマートフォンが、自身がノートパソコンのディスプレイの近傍にあることを検出すると、スマートフォンは、その旨をノートパソコンに通知できる。また、ノートパソコンは、ディスプレイとスマートフォンとの両方に、データ転送の準備をするよう通知できる。両方の装置が転送用に設定された時に、転送される情報（例えば、ユーザのログイン情報）がスマートフォンの画面から移動するようなアニメーションが、スマートフォンにて始まってもよい。情報がスマートフォンの画面上から消えて、同じ情報が徐々にノートパソコンのディスプレイに表示されることにより、情報がスマートフォンからノートパソコンに移動されるような視覚的な効果を作り出すことができる。このように、ユーザは、もはや、ノートパソコンにおける情報の再入力や、電子メール、インスタントメッセージ、または、他のメッセージアプリケーションを使用した情報の送信の必要がない。ユーザがしなければならないことは、ノートパソコンのディスプレイにスマートフォン近づけることだけであり、それだけで、情報が自動的に転送される。２つの装置の間で情報を交換するこの方法は、ウェブリンク、電子メールアドレスなどの、適切な種類の情報の転送に用いることができる転送される情報の種類は、テキスト情報に限定されず、画像、音楽、及び、ビデオデータなどの他の種類のデータをであってもよい。本開示の様々な実施形態を、図面を参照して以下に詳細に説明する。
【００２２】
本開示の実施形態は、情報交換の方法、装置、及び、システムを提供することであり、モバイル端末とサービス装置との間の相互動作を簡略化し、ユーザによる手動ログインを減少させ、ユーザエクスペリエンスを向上させる。以下では、実施形態の代表例を詳細に説明する。
【００２３】
図１を参照すると、図１は、本開示の第１の実施形態における情報交換の方法の例示的な処理を示すフローチャートである。第１実施形態では、モバイル端末側から説明される。図１に示すように、情報交換方法は、以下の例示的なステップを含んでもよい。
【００２４】
１０１．モバイル端末は、表示装置に接続されているサービス装置と通信リンクを確立することができる。
【００２５】
本開示の実施形態においては、モバイル端末は、スマートフォン、ＰＤＡ、又は、他のタッチパネル搭載のモバイル端末であってもよい。あるいは、他のタッチスパネル搭載のモバイルインターネット端末（ＭＩＤ）であってもよい。
【００２６】
本実施形態では、サービス装置に接続されている表示装置は、単独で動作するディスプレイであってもよい。また、サービス端末は、タブレットＰＣ、ノートパソコン、スマート充電端末、スマートトレーディング端末等の、ディスプレイを備えたスマート端末であってもよい。
【００２７】
本実施形態では、サービス装置は、サーバ、ホストコンピュータ、又は、外部のサービス機能を提供する他の端末であってもよい。
【００２８】
また、モバイル端末は、以下の例示的なステップを実行することにより、表示装置が接続されているサービス装置との通信リンクを確立してもよい。
【００２９】
ステップ１：モバイル端末は、サービス装置に接続されている表示装置のヒューマン・コンピュータ・インタフェースに表示された２次元コードを読み取ることができる。
【００３０】
ステップ２：モバイル端末は、２次元コードをデコードして、転送プロトコル情報を取得することができる。
【００３１】
モバイル端末は、２次元コードをデコードした後に、ハイパーテキスト転送プロトコル（ＨＴＴＰ）情報や、通信リンクの確立をすることができる他の転送プロトコル情報を得てもよい。
【００３２】
ステップ３：モバイル端末は、転送プロトコル情報に従って、サービス装置へ通信リンク要求を送信することができる。
【００３３】
ステップ４：サービス装置は、モバイル端末に対して通信リンク要求の応答を返し、モバイル端末とサービス装置との間の通信リンクを確立することができる。
【００３４】
本実施形態では、モバイル端末は、サービス装置と接続されている表示装置のヒューマン・コンピュータ・インタフェースに表示された２次元コードを読み取り、２次元コード内の転送プロトコル情報をデコードしてサービス装置との通信リンクを確立することができるため、通信リンクの確立の効率を効率的に向上できる。
【００３５】
モバイル端末とサービス装置とのハードウェアが近距離通信可能な構成を備える場合には、近距離通信技術を用いて通信リンクを確立してもよい。
【００３６】
１０２．モバイル端末は、自身が表示装置の近傍にあるかを検出することができる。近傍にある場合には、モバイル端末は、情報を含む第１のコマンドをサービス装置に送信することにより、サービス装置に対して情報を含む第２のコマンドを表示装置に送信させて、表示装置による情報の表示が行われるようにトリガをかけることができる。
【００３７】
本実施形態では、第１のコマンドの情報は、アプリケーションプログラム（例えば、マイクロブログやＱＱ）へのログインに必要なユーザ識別情報であってもよい。ユーザ識別情報は、画像、ユーザ名、およびまたは、ユーザＩＤを含んでもよい。また、第１のコマンドの情報は、ユーザが特定のアプリケーションプログラム（例えば、マイクロブログ、ＱＱ）へのログインに成功した後に、サービス装置と交換されるデータであってもよい。また、第１のコマンドの情報は、特定のネットワークリソースにアクセスするためのユニフォーム／ユニバーサル・リソース・ロケータ（ＵＲＬ）であってもよい。
【００３８】
本実施形態では、サービス装置に接続されている表示装置のヒューマン・コンピュータ・インタフェースに表示される２次元コードを読み取り、２次元コードをデコードした後に、モバイル端末は、表示装置の情報を取得することができる。情報は、例えば、ＩＤ、又は、表示装置のシリアル番号を含んでもよい。また、モバイル端末からサービス装置への転送プロトコル情報に基づいて送信される通信リンク要求は、表示装置の情報を含んでいてもよい。このようにして、サービス装置は、対応する表示装置を認識し、第１のコマンドからの情報を含む第２のコマンドを表示装置に送信することができるため、対応する表示装置にてこの情報が表示される。この方法によって、サービス端末が複数の表示装置と接続されている場合でも、サービス装置は、モバイル端末の近傍にある表示装置の場所を正確に検出することができる。したがって、サービス装置は、第１のコマンドからの情報を含む第２のコマンドを、モバイル端末の近傍にある表示装置に送信することができる。
【００３９】
必要であれば、ステップ１０２において、モバイル端末による自身が表示装置の近傍にあるかの検出には、以下の例示的な処理を含んでもよい。
【００４０】
ステップ１：モバイル端末は、フラッシュをつけて画像データの取得し、画像データにおいて画素の最適化を行って画像を取得することができる。
【００４１】
本実施形態では、モバイル端末のカメラレンズが、表示装置のヒューマン・コンピュータ・インタフェース上に表示される、指定された画像又は特定の色で示された領域を取得すると、モバイル端末は、すぐにフラッシュをつけて画像データを取得することができる。
【００４２】
ステップ２：モバイル端末は、画像の明るさが所定の閾値を超えるかを判断することができる。超える場合には、モバイル端末が表示装置の近傍にあると判断することができる。
【００４３】
本実施形態では、モバイル端末が表示装置の近傍にある場合には、モバイル端末は、フラッシュをつけて画像データを取得できる。表示装置のディスプレイの反射する特性に起因して、画像データにおいて画素の最適化を行うことにより取得された画像の明るさを大幅に大きくすることができる。したがって、合理的に所定の閾値が設定されており、画像の明るさがその所定の閾値よりも大きいと判断されている限り、モバイル端末が表示装置の近くにあると判断することができる。
【００４４】
必要に応じて、モバイル端末が表示装置の近傍にあるかを検出するステップ１０２にて、以下の代表的な処理を行ってもよい。
【００４５】
ステップ１：モバイル端末は、第１の画像データを取得し、第１の画像データにおいて画素の最適化を行って第１の画像を取得することができる。
【００４６】
本実施形態では、表示装置のヒューマン・コンピュータ・インタフェースに表示されるターゲット画像を取得する時に、モバイル端末は、フラッシュを消した状態でターゲット画像のデータとなりうる第１の画像データを取得し、第１の画像データにおいて画素の最適化を行って第１の画像を取得する。
【００４７】
ステップ２：モバイル端末は、第１の画像と所定のターゲット画像とを比較してそれらが同じであるかを判断することができる。同じである場合には、モバイル端末は、フラッシュをつけて第２の画像データを取得し、第２の画像データにおいて画素の最適化を行って第２の画像を取得することができる。
【００４８】
本実施形態において、ターゲット画像は、モバイル端末に予め格納されていてもよい。ターゲット画像は、表示装置のディスプレイにおける指定された領域であってもよい。例えば、ターゲット画像は、サービス装置によって送信される第２のコマンドの情報を表示している表示装置のディスプレイにおける領域であってもよい。
【００４９】
第１の画像とターゲット画像とが同じであると判断すると、モバイル端末は、その時点で表示装置のディスプレイにおける指定された領域と面していると判断できる。
【００５０】
ステップ３：モバイル端末は、第１の画像の明るさと第２の画像の明るさとの差が所定の閾値を越えるかを判断することができる。閾値を越える場合には、モバイル端末は、表示装置の近接にあると判断することができる。
【００５１】
モバイル端末が、表示装置のディスプレイにおける指定された領域に面し、そして、表示装置の近傍にある場合には、モバイル端末は、フラッシュをつけて第２の画像データを取得することができる。さらに、表示装置のディスプレイの反射する特性に起因して、第２の画像データにおいて画素の最適化を行うことにより取得される第２の画像の明るさを大幅に明るくすることができる。したがって、所定の閾値が合理的に設定され、第２の画像の明るさと第１の画像の明るさとの差が閾値を超えている限り、モバイル端末が表示装置の近傍にあると判断できる。
【００５２】
必要であれば、第１の画像データを取得し第１の画像データにおいて画素の最適化を行って第１の画像を得る前に、モバイル端末は、以下の手順を実行してもよい。
【００５３】
モバイル端末は、加速度計を使用して、モバイル端末が加減速を伴う動作をしているかを検出することができる。そのような場合には、モバイル端末は、上述のように、第１の画像データを取得し、第１の画像データにおける画素の最適化を行って第１の画像の取得することができる。
【００５４】
加速度計を用いてモバイル端末によって自身が加減速を伴う動作をしていることを検出することは、モバイル端末が徐々に表示装置に近づくように動いていることを意味していている。言い換えると、本実施形態では、モバイル端末は、まず加速度計を使用してモバイル端末が加減速を伴う動作をしていることを検出すると、自身が表示装置の近傍にあるかを検出するトリガがかけられる。
【００５５】
必要であれば、第１の画像データを取得し第１の画像データにおいて画素の最適化を行って第１の画像を取得する前に、モバイル端末は、以下の手順を実行してもよい。
【００５６】
モバイル端末は、オートフォーカスモードに設定されたカメラレンズが連続的な焦点あわせを行っているかを検出してもよい。そのような場合に、モバイル端末は、上述のように、第１の画像データを取り込み、第１の画像データにおいて画素の最適化を行って第１の画像を取得してもよい。
【００５７】
モバイル端末が、オートフォーカスモードに設定されたモバイル端末のカメラレンズが連続的な焦点あわせを行っていることを検出した場合には、モバイル端末が徐々に表示装置に近づくように動いていることが意味される。言い換えると、本実施形態では、モバイル端末は、まずオートフォーカスモードに設定されたモバイル端末のカメラレンズが連続的な焦点あわせを行っていることを検出すると、自身が表示装置の近傍にあるかを検出するトリガがかけられる。
【００５８】
上記の説明に基づけば、図１に示された方法は、モバイル端末とサービス装置との間の相互動作プロセスを簡略化し、ユーザによる手動ログインを減少させることができるため、ユーザエクスペリエンスを向上させることができる。さらに、本実施形態では、モバイル端末により送信された情報を表示装置に表示することができる。このことにより、ある程度、モバイル端末とサーバとの間の相互動作を視覚的に表現することができ、モバイル端末とサーバとの間の相互動作をより鮮明にすることができる。
【００５９】
図２を参照すると、図２は、本開示の第２実施形態における情報交換の方法の代表的な処理を示すフローチャートである。第２の実施形態では、サービス装置側から説明される。図２に示すように、情報交換の方法は、以下の手順を含んでもよい。
【００６０】
２０１：表示装置に接続されているサービス装置は、モバイル端末との通信リンクを確立することができる。
【００６１】
必要に応じて、表示装置に接続されているサービス装置は、以下の例示的なステップを介して、モバイル端末との通信リンクを確立してもよい。
【００６２】
ステップ１：サービス装置は、モバイル端末により送信される通信リンク要求を受信することができる。
【００６３】
モバイル端末によって送信される通信リンク要求は、サービス装置に接続されている表示装置のヒューマン・コンピュータ・インタフェースに表示される２次元コードであってもよい。２次元コードをデコードして転送プロトコル情報を取得した後、転送プロトコル情報に従って、サービス装置に要求を送信することができる。
【００６４】
ステップ２：サービス装置は、通信リンク要求に対する応答をモバイル端末に返して、モバイル端末とサービス装置との間の通信リンクを確立することができる。
【００６５】
２０２：サービス装置は、モバイル端末から送信される情報を含む第１のコマンドであって、モバイル端末が自身がサービス装置の近傍にあることを検出した後に送信される第１のコマンドを受信することができる。
【００６６】
２０３：サービス装置は、情報を含む第２のコマンドを表示装置に送信し、表示装置に情報を表示させることができる。
【００６７】
必要であれば、表示装置に接続されているサービス装置は、モバイル端末との通信リンクを確立した後に、以下の手順を実行してもよい。
【００６８】
サービス装置は、表示装置にガイド情報を表示するように通知し、そのガイド情報によって、ユーザに対してモバイル端末を移動させて情報の表示に用いる表示装置の領域に近づけるようにガイドしてもよい。例えば、表示装置に表示されるガイド情報は、「携帯電話をここに近づけてください」というようなものであってもよい。例えば、図３に示されるように、表示装置１のヒューマン・コンピュータ・インタフェースを用いて、「携帯電話をここに近づけてください」というようなガイド情報を表示させてもよい。「携帯電話をここに近づけてください」というガイド情報によって、ユーザがＱＱのアカウントにログインする時に、自身の携帯電話をユーザ情報（例えば、画像、ユーザ名、及び、ユーザＩＤ）が表示される領域２に近づけるようにガイドされる。本実施形態では、表示装置に表示されるガイド情報によってモバイル端末とサーバ装置との間での相互動作の視覚効果が向上することにより、ユーザエクスペリエンスを向上させることができる。
【００６９】
必要に応じて、表示装置に接続されているサービス装置がモバイル端末との通信リンクを確立した後であって、サービス装置がモバイル端末からの情報を含む第１のコマンドを受信する前に、以下の例示的な処理を実行してもよい。
【００７０】
ステップ１：サービス装置は、モバイル端末によって送信される通知を受信することができる。この通知によって、モバイル端末は、自身が表示装置の近傍にあることを検出している旨を、サービス装置に通知することができる。
【００７１】
ステップ２：サービス装置は、表示装置に検出が完了している旨を通知し、表示装置からの設定状態に入った旨の通知を受信することができる。
【００７２】
ステップ３：サービス装置は、設定状態に入るようにモバイル端末に通知することができる。
【００７３】
本実施形態では、サービス装置とモバイル端末とはともに、両方の装置の動作に急激な変化が生じることを避けながら、設定状態に入ることができる。
【００７４】
上記の説明に基づけば、図２に示す方法は、モバイル端末とサーバとの間の相互動作プロセスを簡略化することができ、ユーザによる手動ログインを減少させ、それにより、ユーザエクスペリエンスを向上させることができる。さらに、本実施形態では、モバイル端末によって送信された情報を、表示装置に表示することができる。これにより、ある程度、モバイル端末とサーバとの間の相互動作を視覚的に表現することができ、モバイル端末とサーバとの間の相互動作をより鮮明にすることができる。
【００７５】
図４を参照すると、図４は、本開示の第３の実施形態における、情報交換の方法の例示的な手順を示すフローチャートである。第３の実施形態は、モバイル端末、及び、表示装置に接続されているサービス装置の視点から説明される。図４に示すように、情報交換の方法は、以下の例示的な手順を含むことができる。
【００７６】
４０１：モバイル端末は、表示装置に接続されているサービス装置と通信リンクを確立することができる。
【００７７】
ステップ４０１は、これまでの実施形態におけるステップ１０１と同じ方法で実行されてもよい。
【００７８】
４０２：モバイル端末は、表示装置の近傍にあるかを検出することができる。近傍にある場合には、モバイル端末は、情報を含む第１のコマンドをサービス装置に送信することができる。
【００７９】
４０３：サービス装置は、第１のコマンドを受信した後に、情報を含む第２のコマンドを表示装置に送信することができる。
【００８０】
４０４：表示装置は、第２のコマンドを受信した後に、情報を表示することができる。
【００８１】
必要に応じて、表示装置の近傍にあるかを検出するモバイル端末は、ステップ４０２において、図５に示される方法を用いた動作を行ってもよい。その方法は、以下の例示的な手順を含んでもよい。
【００８２】
５０１：モバイル端末は、加速度計を用いて、モバイル端末が加減速を伴う動作をしているか検出することができる。加減速を伴う動作をしている場合には、ステップ５０３を実行できる。加減速を伴う動作を行っていない場合には、続けてステップ５０１を実行する。
【００８３】
５０２：モバイル端末は、オートフォーカスモードに設定されたカメラレンズが連続的な焦点あわせを行っているかを判断する。連続的な焦点あわせを行っている場合には、ステップ５０３を実行できる。連続的な焦点あわせを行っていない場合には、続けてステップ５０１を実行する。
【００８４】
モバイル端末が上述のステップ５０１及び５０２のいずれかを選択して実行できることに注意されよう。また、モバイル端末は、上述のステップ５０１と５０２との両方を実行してもよい。特に、モバイル端末がステップ５０１と５０２の両方を実行する時は、それらのステップが実行される順番は限定されない。
【００８５】
５０３：モバイル端末は、第１の画像データを取得し、第１の画像データにおいて画素の最適化を行って第１の画像を取得することができる。
【００８６】
５０４：モバイル端末は、第１の画像とターゲット画像とを比較してそれらが同じであるかを判断することができる。同じである場合には、ステップ５０５を行うことができる。同じでない場合には、処理を終了することができる。
【００８７】
５０５：モバイル端末は、フラッシュをつけて第２の画像データを取得し、第２の画像データにおいて画素の最適化を行って第２の画像を取得することができる。
【００８８】
５０６：モバイル端末は、第１の画像の明るさと第２の画像の明るさとの差が所定の閾値よりも大きいかを判断することができる。超えている場合には、ステップ５０７を実行する。超えていない場合には、処理を終了することができる。
【００８９】
５０７：モバイル端末は、モバイル端末が表示装置の近傍にあると判断することができる。
【００９０】
図４に示された情報交換の方法では、モバイル端末が表示装置の近傍にあることを検出した後であって、サービス装置に情報を含む第１のコマンドを送信する前に、以下の処理を実行してもよい。
【００９１】
ステップ１：モバイル端末は、サービス装置に自身が表示装置の近傍にあることが検出されている旨を通知することができる。
【００９２】
ステップ２：サービス装置は、表示装置に検出が完了している旨を通知し、表示装置からの表示装置が設定状態に入った旨の通知を受信することができる。
【００９３】
ステップ３：サービス装置は、モバイル端末に設定状態に入るように通知することができる。
【００９４】
図４に示された情報交換の方法では、モバイル端末と表示装置に接続されているサービス装置とが通信リンクを確立した後、以下の処理を実行することができる。
【００９５】
サービス装置は、表示装置にガイド情報を通知し、ユーザに対してモバイル端末を移動させて表示装置の情報表示領域に近づけるようにガイドすることができる。
【００９６】
上述の説明に基づけば、図４に示された方法は、モバイル端末とサーバとの間の相互動作プロセスを簡略化し、ユーザによる手動ログインを減少させ、それにより、ユーザエクスペリエンスを向上させることができる。さらに、本実施形態では、モバイル端末によって送信された情報を、表示装置に表示することができる。これにより、ある程度、モバイル端末とサーバとの間の相互作用を視覚的に表現することができ、モバイル端末とサーバとの間の相互動作をより鮮明にすることができる。
【００９７】
図６を参照すると、図６は、本開示の第４の実施形態における、情報交換方法の例示的なプロセスを示すフローチャートである。第４の実施形態は、モバイル端末及び表示装置に接続されているサーバ（例えば、サービス装置）の視点から説明される。図６に示すように、情報交換の方法は以下の手順を含むことができる。
【００９８】
６０１：モバイル端末は、自身が表示装置の近傍にあるかを検出することができる。
【００９９】
モバイル端末が自身が表示装置の近傍にあることを検出する実装例は、これまでの実施形態にて詳細に説明されており、ここで繰り返される。
【０１００】
例えば、表示装置に近傍にあるモバイル端末が、図７および８ａに示されている。図７は、表示装置１の近傍にあるモバイル端末６を示す正面図である。図８ａは、表示装置１の近傍にあるモバイル端末６を示す側面図である。図７に示されるように、表示装置１のヒューマン・コンピュータ・インタフェースは、「携帯電話をここに近づけてください」というガイド情報を含んでもよい。「携帯電話をここに近づけてください」というガイド情報は、ユーザに対して、ユーザがＱＱにログインする時には、モバイル端末を移動させて、ユーザ情報（例えば、写真４、ユーザ３、および、ユーザＩＤ５）を表示する表示装置１のエリア２に近づけるようにガイドすることができる。
【０１０１】
６０２：モバイル端末は、サーバに自身が表示装置の近傍にあることを検出した旨を通知することができる。
【０１０２】
６０３：サーバは、表示装置に検出が完了した旨を通知することができる。
【０１０３】
６０４：サーバは、表示装置から返される表示装置が設定状態に入った旨の通知を受信することができる。
【０１０４】
６０５：サーバは、モバイル端末に対して設定状態に入るように通知することができる。
【０１０５】
６０６：モバイル端末は、設定状態に入って、設定時間とネットワーク遅延とを計算することができる。
【０１０６】
６０７：モバイル端末は、情報を含む第１のコマンドをサーバに送信することができる。
【０１０７】
モバイル端末によって送信される第１のコマンドに含まれる情報は、ＱＱにログインするためのユーザ情報（例えば、画像４、ユーザ３、およびユーザＩＤ５）を含むことができる。
【０１０８】
６０８：モバイル端末から送信される情報を含む第１のコマンドを受信した後に、サーバは、表示装置に情報を含む第２のコマンドを送信して、表示装置に情報を表示させることができる。
【０１０９】
図８Ｂに示すように、本実施形態では、ユーザは、ＱＱにログインする時には、指を使ってモバイル端末６のタッチスクリーン上のユーザ情報にタッチし、上方に緩やかにスライドすることにより、モバイル端末にＱＱに対して、ログインするためのユーザ情報（画像４、ユーザ名３、および、ユーザＩＤ５）を含む第１のコマンドをサーバに送信させるようにトリガをかけることができる。ユーザが、モバイル端末のタッチスクリーン上のＱＱにログインするためのユーザ情報（例えば、画像４、ユーザ名３、および、ユーザＩＤ５）をタッチし、上方に緩やかにスライドすることにより、ＱＱにログインするためのユーザ情報（例えば、画像４、ユーザ名３、およびユーザＩＤ５）がモバイル端末から移動しているような視覚的な効果を得ることができる。同時に、表示装置がＱＱにログインするためのユーザ情報（例えば、写真４、ユーザ名３、および、ユーザＩＤ５）を表示するため、情報がモバイル端末から表示装置に移動するような視覚的な効果がユーザに供される。これにより、さらに相互動作の視覚的な効果を向上させることができる。
【０１１０】
本実施形態では、第１のコマンドは、開始命令又は他の新たに追加されたコマンドと同期するアニメーション、とすることができる。第２のコマンドは、開始コマンド又は他の新たに追加されたコマンドのアニメーションとすることができる。
【０１１１】
このように、図６に示される方法は、モバイル端末とサーバとの間の相互動作プロセスを簡略化し、ユーザによる手動ログインを減少させ、それにより、ユーザエクスペリエンスを向上させることができる。さらに、本実施形態では、モバイル端末によって送信された情報を、表示装置に表示することができる。このことにより、ある程度、モバイル端末とサーバとの間の相互動作が視覚的に表現することができ、モバイル端末とサーバとの間の相互動作をより鮮明にすることができる。
【０１１２】
図９を参照すると、図９は、本開示の第６の実施形態における、モバイル端末の例示的な構成を示すブロック図である。図９に示すように、モバイル端末は、以下の例示的なモジュールを含むことができる。
【０１１３】
第１の確立モジュール９０１は、モバイル端末と表示装置に接続されているサービス装置との間の通信リンクを確立することができる。
【０１１４】
検出モジュール９０２は、モバイル端末が表示装置の近傍にあるかを検出することができる。
【０１１５】
第１の送受信モジュール９０３は、検出モジュールがモバイル端末が表示装置の近傍にあることを検出した場合には、情報を含む第１のコマンドをサービス装置に送信することにより、サービス装置に対して情報を含む第２のコマンドを表示装置に送信させて表示装置による情報の表示が行われるようにトリガをかけることができる。
【０１１６】
必要であれば、第１の確立モジュール９０１は、サービス装置に接続されている表示装置のヒューマン・コンピュータ・インタフェースに表示される２次元コードを読み取り、２次元コードをデコードして転送プロトコル情報を取得してもよい。また、転送プロトコル情報に従って通信リンク要求をサービス装置に送信し、サービス装置から通信リンク要求に対する応答を受信してもよい。このようにすることで、モバイル端末とサービス装置との間の通信リンクが確立される。
【０１１７】
転送プロトコル情報は、ＨＴＴＰ情報であってもよい。
【０１１８】
図１０を参照すると、図１０は、本開示の第５の実施形態における、モバイル端末の例示的な構成を示すブロック図である。図１０のモバイル端末は、図９のモバイル端末を最適化することにより得ることができる。図１０のモバイル端末では、検出モジュール９０２は、以下のモジュールを含んでいる。
【０１１９】
それは、フラッシュをつけて画像データを取得し、画像データにおいて画素の最適化を行って画像を取得する第１のカメラサブモジュール９０２１である。
【０１２０】
また、画像の明るさが所定の閾値を超えるかを判断し、超える場合には、モバイル端末が表示装置の近傍に存在すると判断する第１の判断サブモジュール９０２２である。
【０１２１】
図１１を参照すると、図１１は、本開示の第５の実施形態における、モバイル端末の例示的なモジュールを示すブロック図である。図１１のモバイル端末は、図９のモバイル端末を最適化することにより得ることができる。図１１のモバイル端末では、検出モジュール９０２は、以下のモジュールを有することができる。
【０１２２】
それは、第１の画像データを取得し、第１の画像データにおいて画像の最適化を行って第１の画像を取得することができる第２のカメラサブモジュール９０２３である。
【０１２３】
また、第１の画像と所定のターゲット画像とを比較してそれらが同じであるかを判断する比較サブモジュール９０２４である。
【０１２４】
第１の画像と所定のターゲット画像とが同一であると判断される場合には、上述の第２のカメラサブモジュール９０２３は、フラッシュをつけて第２の画像データを取得し、第２の画像データにおいて画素の最適化を行って第２の画像を取得することができる。
【０１２５】
上述の比較サブモジュール９０２４は、第１の画像の明るさと第２の画像の明るさとの差が所定の閾値を越えるかを判断することができる。越える場合には、モバイル端末が表示装置の近傍にあると判断することができる。
【０１２６】
必要に応じて、図１１のモバイル端末において、検出モジュール９０２が以下のモジュールも含んでもよい。
【０１２７】
それは、モバイル端末が加減速を伴う動作をしているかを検出し、加減速を伴う動作をしている場合には、第２のカメラモジュールに対して、第１の画像データを取得させ、第１の画像データにおいて画素の最適化を行わせて第１の画像を取得させるようにトリガをかける加速度計サブモジュール９０２５である。
【０１２８】
必要に応じて、図１１のモバイル端末において、検出モジュール９０２が以下のモジュールを含んでもよい。
【０１２９】
それは、オートフォーカスモードに設定されたカメラレンズが連続的な焦点合わせを行っているかを検出し、連続的な焦点あわせを行っている場合には、第２のカメラサブモジュールに対して、第１の画像データを取得させ、第１の画像において画素の最適化を行わせて第１の画像を取得させるようなトリガをかける焦点あわせ検出サブユニット９０２６である。
【０１３０】
本実施形態では、検出モジュール９０２は、加速度計サブモジュール９０２５及び焦点あわせ検出サブユニット９０２６、または、これらの二つのモジュールのいずれか一方を備えてもよい。
【０１３１】
図９-１１のモバイル端末において、第１の送受信モジュール９０２は、検出モジュール９０２によりモバイル端末が表示装置の近傍にあることを検出した後であって、情報を含む第１のコマンドをサービス装置に送信する前に、サービス装置にモバイル端末が表示装置の近傍にあることが検出されている旨を通知する。そして、サービス装置が、表示装置から返される表示装置が設定状態に入った旨の通知を受信すると、モバイル端末に対してサービス装置から送信される通知を受信すると設定状態に入るようにトリガをかける。
【０１３２】
このように、図９−１１に示されたモバイル端末は、モバイル端末とサーバとの間の相互動作のプロセスを簡略化し、ユーザによる手動ログインを低減させ、それにより、ユーザエクスペリエンスを向上させることができる。さらに、本実施形態では、モバイル端末によって送信された情報を、表示装置に表示することができる。このことにより、ある程度、モバイル端末とサーバとの間の相互動作を視覚的に表現することができ、モバイル端末とサーバとの間の相互動作をより鮮明にすることができる。
【０１３３】
図１２を参照すると、図１２は、本開示の第６の実施形態における、サービス装置の例示的な構成を示すブロック図である。サービス装置は、表示装置に接続されることができる。図１２に示すように、サービス装置は、以下の例示的なモジュールを含むことができる。
【０１３４】
それは、モバイル端末との通信リンクを確立することができる第２の確立モジュール１２０１である。
【０１３５】
第２の送受信モジュール１２０２は、モバイル端末から送信される情報を含む第１のコマンドであって、モバイル端末が自身がサービス装置の近傍にあることを検出した後に送信される第１のコマンドを受信し、情報を含む第２のコマンドを表示装置に送信することにより表示装置に情報を表示させることができる。
【０１３６】
第２の確立モジュール１２０１は、モバイル端末から送信される通信リンク要求を受信し、通信リンク要求への応答をモバイル端末に返すと、モバイル端末とサービ端末との間の通信リンクを確立することができる。モバイル端末から送信される通信リンク要求は、モバイル端末がサービス装置に接続されている表示装置のヒューマン・コンピュータ・インタフェースに表示される２次元コードを読み取ることであってもよい。２次元コードがデコードされて転送プロトコル情報が取得された後に、転送プロトコル情報は、サービス装置に送信されることができる。
【０１３７】
必要に応じて、第２の送受信装置１２０２は、第２の確立モジュールがモバイル端末との通信リンクを確立した後に、表示装置にガイド情報を表示するように通知し、ガイド情報によって、ユーザに対してモバイル端末を移動させて表示装置の情報表示領域に近づけるようにガイドしてもよい。
【０１３８】
必要に応じて、第２の送受信モジュール１２０２は、第２の確立モジュールがモバイル端末との通信リンクを確立した後であって、モバイル端末からの情報を含む第１のコマンドを受信する前に、モバイル端末から送信される通知であって、モバイル端末が自身が表示装置の近傍にあることを検出している旨をサービス装置に通知する通知を受信し、表示装置に検出が完了している旨を通知し、サービス装置に対して表示装置から通知を受信すると設定状態に入るようにトリガをかけ、モバイル端末に設定状態に入るように通知してもよい。
【０１３９】
このように図１２に示されたサービス装置は、モバイル端末とサーバとの間の相互動作のプロセスを簡略化し、ユーザによる手動ログインを低減させ、それにより、ユーザエクスペリエンスを向上させることができる。さらに、本実施形態では、モバイル端末によって送信された情報を、表示装置に表示することができる。このことにより、ある程度、モバイル端末とサーバとの間の相互動作を視覚的に表現することができ、モバイル端末とサーバとの間の相互動作をより鮮明にすることができる。
【０１４０】
図１３を参照すると、図１３は、本開示の第７の実施形態における、情報交換のシステムの構成例を示すブロック図である。図１３に示されるように、情報交換システムは、モバイル端末１３０１と表示装置１３０２に接続されているサービスデバイス１３０３とを含むことができる。図１３の情報交換のシステムでは、モバイル端末１３０１の構造および機能は、図９〜１１のいずれかのモバイル端末の構造および機能と同じにすることができる。サービス装置１３０３の構造および機能は、図１２のサービス装置の構造及び機能と同じにすることができる。点線は、モバイル端末１３０１が無線方式にてサービス装置１３０３とリンクされていることを示す。
【０１４１】
このように、図１３に示される情報交換のシステムは、モバイル端末とサーバとの間の相互動作のプロセスを簡略化し、ユーザによる手動ログインを減少させ、それにより、ユーザエクスペリエンスを向上させることができる。さらに、本実施形態では、モバイル端末によって送信された情報を、表示装置に表示することができる。このことにより、ある程度、モバイル端末とサーバとの間の相互作用を視覚的に表現することができ、モバイル端末とサーバとの間の相互動作をより鮮明にすることができる。
【０１４２】
上述の実施形態に基づいて、当業者は、上記の実施形態それぞれにて説明されたプロセスの一部または全部は、１つ又はそれ以上のコンピュータプログラムからの指示に従って、ハードウェアを用いて実行できることを理解できよう。１つ又はそれ以上のコンピュータプログラムは、非一時的な可読媒体に格納され、実行される時には、これらの実施形態にて説明された処理を実行することができる。非一時的な可読媒体は、フロッピー（登録商標）ディスク、ＣＤ，読み取り専用メモリ（ＲＯＭ）、又は、ランダムアクセスメモリ（ＲＡＭ）であってもよい。
【０１４３】
いくつかの実施形態では、図９−１２の１つ又はそれ以上のモジュール、およびまたは、サブモジュールは、非一時的なコンピュータ可読ストレージ媒体に格納され、およびまたは、転送されてもよい。そして、例えば、コンピュータに基づいたシステム、命令を実行するシステム、又は、命令を実行するシステムや機器や装置からの命令をフェッチして実行可能な他のシステムなどの、命令を実行するシステム、機器、又は、装置によって、又は、これらと関連して実行されてもよい。本願の文脈において、「非一時的なコンピュータ可読ストレージ媒体」は、命令を実行するシステム、機器、または、装置スによって、又は、関連して実行されるプログラムを含む、又は、格納することができる任意の媒体であってもよい。非一時的なコンピュータ可読ストレージ媒体は、電子的な、磁気的な、光学的な、電磁気的な、赤外線的な、もしくは、半導体のシステム、機器、又は、デバイス、すなわち、ポータブルコンピュータディスケット（磁気的な）、ランダムアクセスメモリ（ＲＡＭ）、読み取り専用メモリ（ＲＯＭ）（磁気的な）、消去可能なプログラム実行可能な読み出し専用メモリ（ＥＥＰＲＯＭ）（磁気的な）、例えば、ＣＤ、ＣＤ−Ｒ、ＣＤ−ＲＷ、ＤＶＤ、ＤＶＤ−Ｒ、または、ＤＶＤ−ＲＷのようなポータブル光学ディスク、または、コンパクトフラッシュ（登録商標）カード、セキュアードデジタルカード、ＵＳＢメモリデバイス、メモリスティックのようなフラッシュメモリを含んでもよいが、これらに限定されるものではない。
【０１４４】
非一時的なコンピュータ可読ストレージ媒体は、サービス装置（例えば、サーバ）、又は、モバイル端末としてサービスを提供するコンピューティングシステムの一部であってもよい。図１４は、そのようなコンピューティングシステムの例示的な共通構成を示している。示されているように、システム１４００は、中央処理装置（ＣＰＵ）１４０２、ディスプレイ、キーパッド、タッチスクリーン、スピーカ、及び、マイクのうちの１つもしくはそれ以上を含むがそれらに限定されないＩ／Ｏコンポーネント１４０４、直前の段落にて記載されているようなストレージ媒体１４０６、及び、ネットワークインタフェース１４０８を含むことができ、これらの構成はバス１４１０を介して互いに接続されることができる。ストレージ媒体１４０６は、システムがモバイル端末またはサービス装置であるかに応じて、システムは、モジュール、およびまたは、図９−１２のサブモジュールの１つまたは複数を含んでもよい。
【０１４５】
本開示の実施形態は、添付図面を参照して完全に説明してきたが、様々な変更および修正が当業者には明らかであることに注意されよう。このような変更および修正は、添付の特許請求の範囲によって定義される本開示の実施形態の範囲内に含まれると理解されるべきである。
【図１】
0005876193.tif 000002
【図２】
0005876193.tif 000003
【図３】
0005876193.tif 000004
【図４】
0005876193.tif 000005
【図５】
0005876193.tif 000006
【図６】
0005876193.tif 000007
【図７】
0005876193.tif 000008
【図８ａ】
0005876193.tif 000009
【図８ｂ】
0005876193.tif 000010
【図９】
0005876193.tif 000011
【図１０】
0005876193.tif 000012
【図１１】
0005876193.tif 000013
【図１２】
0005876193.tif 000014
【図１３】
0005876193.tif 000015
【図１４】
0005876193.tif 000016